(57)【要約】【課題】ユーザの手間や費用をかけることなく、交換可能なレンズユニットごとに適切な電力負荷情報をカメラ本体に提供する。【解決手段】レンズユニット１２のレンズメモリ１２０は、ズームモータ駆動その他のレンズユニット１２における各種の動作時に許容されるカメラ本体１４のバッテリ２３８の電圧降下の下限値を含む電圧負荷情報を記憶する。レンズＣＰＵ１１８は、カメラ本体１４からからマウント検出信号を受信したことに応じ、レンズメモリ１２０に格納されている電力負荷情報を読み出し、これをレンズ通信制御部１４０および本体通信制御部２４２を介して本体ＣＰＵ２００に送信する。本体ＣＰＵ２００は、本体メモリ２０１に格納された電力負荷情報を参照し、カメラシステム１０の正常動作が可能なバッテリ２３８の電圧の下限閾値（バッテリエンド判定電圧）を決定する。【選択図】  図３
2008028655.tif 000002
【特許請求の範囲】
【請求項１】
カメラ本体に着脱自在に接続される接続部と、前記接続部を介して前記カメラ本体から電力供給を受ける電力受入部と、前記接続部を介して前記カメラ本体とデータを送受信する通信部と、撮影レンズを介して入射した被写体光を受光して撮像信号に変換して出力する撮像素子と、前記カメラ本体からの指令に応じ、前記撮像素子の出力する撮像信号に基づいて画像データを作成する画像処理部とを備えるレンズユニットであって、
前記レンズユニットの動作に対応する負荷情報を記憶する記憶部と、
前記カメラ本体から指令されたレンズユニットの動作に対応する負荷情報を前記記憶部から取得し、前記通信部を介して前記カメラ本体に送信する制御部と、
を備えるレンズユニット。
【請求項２】
前記記憶部は、前記レンズユニットの動作状態に対応する前記カメラ本体の電力供給能力ごとの負荷情報を記憶し、
前記制御部は、前記カメラ本体から指令されたレンズユニットの動作に対応する前記カメラ本体の電力供給能力ごとの負荷情報を前記記憶部から取得し、前記通信部を介して前記カメラ本体に送信する請求項１に記載のレンズユニット。
【請求項３】
電力供給装置、通信装置および制御装置を備えるカメラ本体と、
前記カメラ本体に着脱自在に接続される接続部と、前記接続部を介して前記カメラ本体の電力供給装置から電力供給を受ける電力受入部と、前記接続部を介して前記カメラ本体とデータを送受信する通信部と、撮影レンズを介して入射した被写体光を受光して撮像信号に変換して出力する撮像素子と、前記カメラ本体の制御装置からの指令に応じ、前記撮像素子の出力する撮像信号に基づいて画像データを作成する画像処理部と、前記カメラ本体から指令されうる動作に対応する負荷情報を記憶する記憶部と、前記カメラ本体から実際に指令された動作に対応する負荷情報を前記記憶部から取得し、前記通信部を介して前記カメラ本体に送信する制御部と、を備えるレンズユニットと、
を備え、
前記カメラ本体の制御装置は、前記通信装置が前記レンズユニットから受信した負荷情報を参照することで前記レンズユニットが正常動作のために必要な負荷の閾値を決定するとともに、前記電力供給装置が現在供給している電力の負荷を検出し、前記電力供給装置の現在の負荷が前記負荷の閾値を下回ったか否かにより、前記レンズユニットが正常動作のために必要な電力が前記電力供給装置に確保されているか否かを判定するカメラシステム。
【請求項４】
前記記憶部は、前記レンズユニットの動作状態に対応する電力供給能力ごとの負荷情報を記憶し、
前記制御部は、前記カメラ本体から指令されたレンズユニットの動作に対応する電力供給能力ごとの負荷情報を前記記憶部から取得し、前記通信部を介して前記カメラ本体に送信し、
前記カメラ本体の制御装置は、前記通信装置が前記レンズユニットから受信した電力供給能力ごとの負荷情報のうち前記電力供給装置の電力供給能力に対応する負荷情報を参照することで前記レンズユニットが正常動作のために必要な負荷の閾値を決定するとともに、前記電力供給装置が現在供給している電力の負荷を検出し、前記電力供給装置の現在の負荷が前記負荷の閾値を下回ったか否かにより、前記レンズユニットが正常動作のために必要な電力が前記電力供給装置に確保されているか否かを判定する請求項３に記載のカメラシステム。
【請求項５】
前記制御装置は、前記レンズユニットが正常動作のために必要な電力が前記電力供給装置に確保されていないと判定したことに応じ、所定のシャットダウン処理を開始する請求項３または４に記載のカメラシステム。
【発明の詳細な説明】
【技術分野】
【０００１】
本発明は撮像機能を備えた交換可能なレンズユニットおよび該レンズユニットを装着して画像を記録するカメラ本体を備えたカメラシステムに関する。
【背景技術】
【０００２】
特許文献１では、カメラのバッテリ残量検出精度向上のため、実際に検出したバッテリ電圧と比較する閾値を、動作状況に基づく電力負荷情報により適宜加減する。これにより、例えば、レンズモータ駆動など、高負荷の動作が実施され、一時的にバッテリ電圧が低下した場合に、まだ残量が十分あるのに、カメラが動作不能と判断し、各部の機能をシャットダウンしてしまうことを防止できる。
【特許文献１】特開２００２−１１２０９０号公報
【発明の開示】
【発明が解決しようとする課題】
【０００３】
動作状況に基づく電力負荷情報（例えば、レンズモータ駆動時は通常閾値−１．０Ｖまで電圧低下を許容する）は、カメラ内の不揮発性メモリに格納されているが、撮像機能の付いたレンズユニットを交換できる方式のカメラシステムでは、カメラ本体に接続されうるレンズユニットの電力負荷情報をカメラ本体側に予め格納しておく必要がある。しかし、接続が想定されるレンズユニットの種類が多い場合、それだけ格納すべき電力負荷情報も増加するため、不揮発性メモリの大容量化が必要となり、カメラ本体のコスト増加につながる。また、新しく売り出されたレンズユニットの場合は、カメラ本体に電力付加情報が登録されていないと、その情報の更新を行う必要があり、ユーザの手間が増える。
【０００４】
本発明はこのような問題点に鑑みてなされたもので、ユーザの手間や費用をかけることなく、交換可能なレンズユニットごとに適切な電力負荷情報をカメラ本体に提供することを目的とする。
【課題を解決するための手段】
【０００５】
本発明は、カメラ本体に着脱自在に接続される接続部と、接続部を介してカメラ本体から電力供給を受ける電力受入部と、接続部を介してカメラ本体とデータを送受信する通信部と、撮影レンズを介して入射した被写体光を受光して撮像信号に変換して出力する撮像素子と、カメラ本体からの指令に応じ、撮像素子の出力する撮像信号に基づいて画像データを作成する画像処理部とを備えるレンズユニットに関する。このレンズユニットは、レンズユニットの動作に対応する負荷情報を記憶する記憶部と、カメラ本体から指令されたレンズユニットの動作に対応する負荷情報を記憶部から取得し、通信部を介してカメラ本体に送信する制御部と、を備える。
【０００６】
こうすると、カメラ本体に各種のレンズユニットの負荷情報を記憶しておく必要がなく、カメラ本体のメモリ使用量を削減できる。また、新仕様のレンズユニットがカメラ本体に接続されても、カメラ本体側のレンズユニットの負荷情報を更新する必要がない。
【０００７】
好ましくは、記憶部は、レンズユニットの動作状態に対応するカメラ本体の電力供給能力ごとの負荷情報を記憶し、制御部は、カメラ本体から指令されたレンズユニットの動作に対応するカメラ本体の電力供給能力ごとの負荷情報を記憶部から取得し、通信部を介してカメラ本体に送信する。
【０００８】
また、本発明は、電力供給装置、通信装置および制御装置を備えるカメラ本体と、カメラ本体に着脱自在に接続される接続部と、接続部を介してカメラ本体の電力供給装置から電力供給を受ける電力受入部と、接続部を介してカメラ本体とデータを送受信する通信部と、撮影レンズを介して入射した被写体光を受光して撮像信号に変換して出力する撮像素子と、カメラ本体の制御装置からの指令に応じ、撮像素子の出力する撮像信号に基づいて画像データを作成する画像処理部と、カメラ本体から指令されうる動作に対応する負荷情報を記憶する記憶部と、カメラ本体から実際に指令された動作に対応する負荷情報を記憶部から取得し、通信部を介してカメラ本体に送信する制御部と、を備えるレンズユニットと、を備えるカメラシステムに関する。
【０００９】
このシステムにおいて、カメラ本体の制御装置は、通信装置がレンズユニットから受信した負荷情報を参照することでレンズユニットが正常動作のために必要な負荷の閾値を決定するとともに、電力供給装置が現在供給している電力の負荷を検出し、電力供給装置の現在の負荷が負荷の閾値を下回ったか否かにより、レンズユニットが正常動作のために必要な電力が電力供給装置に確保されているか否かを判定する。
【００１０】
こうすると、カメラ本体が実際に指示したレンズユニットの動作内容に応じて、正常動作に必要な負荷の閾値が決まるから、指令された動作を実行するのにバッテリ残容量が十分か否かの判定を従来よりも正確に行える。従って、まだ残容量が十分であるのにシャットダウン動作が開始されたり、あるいは残容量が不足しているのに動作が続行されて誤動作が発生する可能性が低い。
【００１１】
記憶部は、レンズユニットの動作状態に対応する電力供給能力ごとの負荷情報を記憶し、制御部は、カメラ本体から指令されたレンズユニットの動作に対応する電力供給能力ごとの負荷情報を記憶部から取得し、通信部を介してカメラ本体に送信し、カメラ本体の制御装置は、通信装置がレンズユニットから受信した電力供給能力ごとの負荷情報のうち電力供給装置の電力供給能力に対応する負荷情報を参照することでレンズユニットが正常動作のために必要な負荷の閾値を決定するとともに、電力供給装置が現在供給している電力の負荷を検出し、電力供給装置の現在の負荷が負荷の閾値を下回ったか否かにより、レンズユニットが正常動作のために必要な電力が電力供給装置に確保されているか否かを判定してもよい。
【００１２】
こうすると、カメラ本体で実際に使用されている電力供給装置の電源供給能力に応じた閾値が決まるから、電力供給残量が十分か否かの判定を従来よりも正確に行える。
【００１３】
なお、制御装置は、レンズユニットが正常動作のために必要な電力が電力供給装置に確保されていないと判定したことに応じ、所定のシャットダウン処理を開始する。
【発明の効果】
【００１４】
本発明では、レンズユニットに各種動作の負荷情報を記憶させておくから、カメラ本体に各種のレンズユニットの負荷情報を記憶しておく必要がなく、カメラ本体のメモリ使用量を削減できる。また、新仕様のレンズユニットがカメラ本体に接続されても、カメラ本体側のレンズユニットの負荷情報を更新する必要はない。
【発明を実施するための最良の形態】
【００１５】
以下、添付図面に従い、本発明の好ましい実施の形態について説明する。
【００１６】
＜第１実施形態＞
図１は、本発明が適用されたカメラシステムの外観構成を示す。同図（ａ）に示すように、このカメラシステム１０は、レンズユニット１２とカメラ本体１４とで構成されている。
【００１７】
レンズユニット１２は、円筒状に形成されており、その基端部にレンズマウント１２Ａを備えている。一方、カメラ本体１４は、箱状に形成されており、その正面ほぼ中央に本体マウント１４Ａを備えている。レンズユニット１２は、レンズマウント１２Ａをカメラ本体１４の本体マウント１４Ａに着脱自在に装着することができるため、カメラ本体１４には任意の種類のレンズユニット１２を取り付けられる。
【００１８】
レンズマウント１２Ａと本体マウント１４Ａには、それぞれレンズマウント接点１２ａと本体マウント接点１４ａとが設けられておりレンズマウント１２Ａを本体マウント１４Ａに装着すると、両接点１２ａ・１４ａが接触して導通する。
【００１９】
また、本体マウント１４Ａには、図示しないレンズ検出端子が設けられており、このレンズ検出端子により、レンズマウント１２Ａが本体マウント１４Ａに装着されたことが検出できるようにされている。
【００２０】
レンズユニット１２は、交換レンズのように仕様の異なる数種のものを用意しておけば、必要に応じた仕様のレンズユニット１２を自由に選んでカメラ本体１４に取り付けることができる。
【００２１】
図１（ｂ）に示すように、カメラ本体１４の正面には、本体マウント１４Ａやストロボ１８等が設けられており、上面には、レリーズボタン２０が設けられている。
【００２２】
レリーズボタン２０は、撮影指示を入力するボタンとして機能し、いわゆる「半押し」と「全押し」の二段式で構成されている。レンズユニット１２は、このレリーズボタン２０の半押しに応じてＡＥ（Automatic Exposure：自動露出）・ＡＦ（Auto Focus：自動焦点合わせ）を実行し、全押しに応じて記録用の画像取得動作を実行する。
【００２３】
図１（ｃ）に示すように、カメラ本体１４の背面には、ズームボタン１５、十字キー１６、ＯＫボタン１７、ＬＣＤ２６などが設けられている。
【００２４】
ズームボタン１５のワイド（Ｗ）側を押すと、押し続けている間、レンズユニット１２のズームレンズのワイド端（広角）側に移動し、テレ（Ｔ）側を押すと、押し続けている間、ズームレンズがテレ端（望遠）側に移動する。
【００２５】
十字キー１６は、上下左右ボタンから構成され、それぞれを押下することで各種の情報選択・動作設定を行うことができる。
【００２６】
ＯＫボタン１７は、所望の設定項目の確定を指示するためのボタンである。
【００２７】
図２は、カメラシステム１０の電気的構成を示すブロック図である。同図に示すように、レンズユニット１２は、レンズ・撮影光学系・撮影光学系駆動部（ズームモータ、フォーカスモータ、アイリスモータ、シャッタを含む）・撮影光学系制御部・撮像素子（ＣＣＤ）・アナログ信号処理部・Ａ／Ｄ変換器・信号処理回路・積算回路・タイミングジェネレータ（ＴＧ）などを含む撮像部１００、レンズＣＰＵ１１８、ＲＯＭ・ＲＡＭ・不揮発性メモリからなるレンズメモリ１２０、ＵＡＲＴ（低速シリアルドライバ）および高速シリアルドライバからなるレンズ通信制御部１４０、レンズ電源接点１２６、レンズマウント接点１２ａ等で構成されている。
【００２８】
一方、カメラ本体１４は、本体ＣＰＵ２００、操作部２０２（レリーズボタン２０・ズームボタン１５・十字キー１６・ＯＫボタン１７などを含む）、ＲＡＭ・フラッシュＲＯＭ・システムメモリなどから構成された本体メモリ２０１、ＵＡＲＴ（低速シリアルドライバ）および高速シリアルドライバで構成された本体通信制御部２４２、メモリカードスロット２１５、ＬＣＤ表示部２６、バッテリ残量検出部２３６、バッテリ２３８、本体電源接点１２７等で構成されている。
【００２９】
カメラシステム１０全体の動作は、本体ＣＰＵ２００によって統括制御されており、本体ＣＰＵ２００は、操作部２０２からの入力に基づき所定の制御プログラムに従ってカメラ本体１４およびレンズユニット１２の各部を制御する。本体メモリ２０１には、この本体ＣＰＵ２００が実行する制御プログラムや、制御に必要な各種データが記録されている。本体ＣＰＵ２００は、この制御プログラムに従い、ＲＡＭを作業領域としながらデジタルカメラの各部を制御する。
【００３０】
レンズＣＰＵ１１８は、本体ＣＰＵ２００からの指令に従いレンズユニット１２の各ブロックの動作を統括制御する。レンズメモリ１２０のＲＯＭには、このレンズＣＰＵ１１８が実行する制御プログラムや、制御に必要な各種データが記録されている。レンズＣＰＵ１１８は、このレンズメモリ１２０のＲＯＭに格納された制御プログラムに従い、レンズメモリ１２０のＲＡＭを作業領域としながらレンズユニット１２の各部を制御する。
【００３１】
撮像素子（ＣＣＤ）は、たとえば原色カラーＣＣＤで構成されており、撮影光学系によって、その受光面に結像された被写体の光学像を電気信号に変換する。
【００３２】
アナログ信号処理部は、サンプリングホールド回路、色分離回路、ゲイン調整回路等を含み、ＣＣＤから出力された画像信号に対して相関二重サンプリング（ＣＤＳ）処理、色分離処理、プリホワイトバランス処理等の所要のアナログ信号処理を施す。
【００３３】
Ａ／Ｄ変換器は、アナログ信号処理部から出力されたアナログの画像信号をデジタルの画像信号に変換して出力する。
【００３４】
デジタル信号処理部は、輝度・色差信号生成回路、ガンマ補正回路、シャープネス補正回路、コントラスト補正回路、ホワイトバランス補正回路、圧縮・伸張処理回路等を含むデジタルシグナルプロセッサ（ＤＳＰ）で構成され、入力された画像信号に所要の信号処理を施して、輝度信号（Ｙ信号）と色差信号（Ｃr,Ｃb 信号）とからなるＹＵＶ信号を生成する。また、ＹＵＶ信号に圧縮処理を施して、圧縮画像データを生成するとともに、圧縮画像データに伸張処理を施してＹＵＶ信号を生成する。
【００３５】
積算回路は、Ａ／Ｄ変換後の画像信号を得て、ＡＥ／ＡＦ制御に必要な物理量を算出する。すなわち、ＡＥ制御に必要な物理量として、１フレームにおけるＲ、Ｇ、Ｂの画像信号の積算値を算出する。レンズＣＰＵ１１８は、この積算回路１１４から得た積算値に基づいて被写体の明るさ（被写体輝度）を算出し、所定のプログラム線図から絞り値とシャッタスピードを決定する。また、ＡＦ制御に必要な物理量として、所定のＡＦエリア内におけるＧ信号の高周波成分の積算値（焦点評価値）を算出する。レンズＣＰＵ１１８は、フォーカスモータを駆動して、この焦点評価値が極大となる位置にフォーカスレンズを移動させる（いわゆるコントラストＡＦ）。
【００３６】
タイミングジェネレータ（ＴＧ）は、ＣＣＤ、アナログ信号処理部、Ａ／Ｄ変換器、デジタル信号処理部、積算回路にタイミング信号を与え、各部は、このＴＧから与えられるタイミング信号によって同期がとられている。
【００３７】
ＵＡＲＴは、レンズＣＰＵ１１８の制御の下、レンズマウント接点１２ａ及び本体マウント接点１４ａを介して接続されたカメラ本体１４側のＵＡＲＴとの間で制御信号（コマンド信号）の送受信を行う。一方、カメラ本体１４側のＵＡＲＴは、本体ＣＰＵ２００の制御の下、レンズマウント接点１２ａ及び本体マウント接点１４ａを介して接続されたレンズユニット側のＵＡＲＴとの間で制御信号（コマンド信号）の送受信を行う。
【００３８】
高速シリアルドライバは、レンズＣＰＵ１１８の制御の下、レンズマウント接点１２ａ及び本体マウント接点１４ａを介して接続されたカメラ本体１４側の高速シリアルドライバとの間で画像ファイルの送信を行う。一方、カメラ本体１４側の高速シリアルドライバは、本体ＣＰＵ２００の制御の下、レンズマウント接点１２ａ及び本体マウント接点１４ａを介して接続されたレンズユニット側の高速シリアルドライバとの間で画像ファイルの受信を行う。
【００３９】
バッテリ２３８は、本体ＣＰＵ２００の制御の下、レンズ電源接点１２６及び本体電源接点１２７を介してレンズユニット１２に電力を供給するとともに、カメラ本体１４内の各ブロックに電力を供給する。
【００４０】
レンズユニット１２をカメラ本体１４に装着し、操作部２０２で撮影モードを選択すると、撮像部１００のデジタル信号処理部で連続的に生成されたＹＵＶ信号が、両接点１２ａ・１４ａを介して本体メモリ２０１に加えられる。ＣＰＵ２００は、この本体メモリ２０１に加えられたＹＵＶ信号を表示用の信号形式に変換して順次ＬＣＤ表示部２６に出力する。これにより、ＬＣＤ表示部２６にスルー画像が表示され、ＬＣＤ表示部２６をファインダとして使用しながらの撮影が可能になる。
【００４１】
この状態で被写体に撮影レンズを向け、レリーズボタン２０を半押しすると、操作部２０２から本体ＣＰＵ２００にＳ１ＯＮ信号が出力され、ＡＥ／ＡＦ処理が実行される。すなわち、主要被写体にピントが合わせられるとともに露出が決定される。
【００４２】
この後、レリーズボタン２０が全押しされると、操作部２０２から本体ＣＰＵ２００にＳ２ＯＮ信号が出力され、撮影処理が実行される。すなわち、決定された露出でＣＣＤが露光され、露光により得られた画像信号が、アナログ信号処理部、Ａ／Ｄ変換器を介してデジタル信号処理部に送られる。デジタル信号処理部では、所要の信号処理が施されてＹＵＶ信号に変換される。生成されたＹＵＶ信号は、更にデジタル信号処理部で圧縮処理が施されて圧縮画像データとされた後、所要の付属情報が付加された画像ファイルとしてメモリカードスロット２１５に装着されたメモリカードに格納される。なお、圧縮していないＲＡＷ形式のファイルを作成してもよい。
【００４３】
操作部２０２で再生モードを設定すると、メモリカードに最後に記録された画像ファイルの圧縮画像データが非圧縮のＹＵＶに変換されて本体メモリ２０１に読み出される。ＹＵＶデータは、本体ＣＰＵ２００の制御に応じて表示用の信号形式に変換されて、ＬＣＤ表示部２６に出力される。これにより、撮影済み画像が再生表示される。
【００４４】
なお、十字キー１６の右ボタンの押下でコマ送りの操作を行うと、次の画像がメモリカードから読み出され、左ボタンの押下でコマ戻しの操作を行うと、一つ前の画像がメモリカードから読み出されて、ＬＣＤ表示部２６に再生表示される。
【００４５】
図３はレンズメモリ１２０に記憶されている電圧負荷情報の一例を示す。この情報は、レンズユニット１２がカメラ本体１４に装着されている状態で、ズームモータ駆動、フォーカスモータ駆動、アイリスモータ駆動、シャッタ駆動のうち少なくともいずれか１つの動作がカメラ本体１４から指令された際に、カメラシステム１０の動作を正常に実行するのに許容される電圧降下の下限を示している。
【００４６】
以下、図４のフローチャートに従い、カメラシステム１０の実行する処理の流れを説明する。この処理は、カメラ本体１４の電源がオンにされたときに開始する。
【００４７】
Ｓ１では、本体ＣＰＵ２００は、レンズマウント１２Ａの本体マウント１４Ａへの装着（接点１２ａと本体側の接点１４ａとの接続）を検出した旨の信号（マウント検出信号）を検出端子から受信したか否かを判断する。マウント検出信号を受信したと判断した場合は、本体ＣＰＵ２００は、マウント検出信号を受信した旨を本体通信制御部２４２およびレンズ通信制御部１４０を介してレンズＣＰＵ１１８に通知し、Ｓ２に移行する。
【００４８】
Ｓ２では、レンズＣＰＵ１１８は、カメラ本体１４からからマウント検出信号を受信したことに応じ、レンズメモリ１２０に格納されている電力負荷情報を読み出し、これをレンズ通信制御部１４０および本体通信制御部２４２を介して本体ＣＰＵ２００に送信する。本体ＣＰＵ２００は、電力負荷情報を受信すると、これを本体メモリ２０１のＲＡＭに格納する。
【００４９】
Ｓ３では、本体ＣＰＵ２００は、本体メモリ２０１に格納された撮影待機時の電力負荷情報を参照し、撮影待機時におけるカメラシステム１０の正常動作が可能なバッテリ２３８の電圧の下限閾値（バッテリエンド判定電圧）を決定する。この処理の詳細は後述する。
【００５０】
Ｓ４では、本体ＣＰＵ２００は、操作部２０２への操作を待機する。もし、ズームボタン１５へ入力があった場合は、Ｓ５に移行する。
【００５１】
Ｓ５では、本体ＣＰＵ２００は、ズームボタン１５へ入力された情報が、ワイド側へのズームレンズ移動か、テレ側へのズームレンズ移動のいずれであるかを認識する。
【００５２】
Ｓ６では、ズームボタン１５の入力に応じ、本体ＣＰＵ２００は、本体通信制御部２４２およびレンズ通信制御部１４０を介して、レンズＣＰＵ１１８に対し、ズームレンズのワイド側への移動またはテレ側への移動を指示する。
【００５３】
レンズＣＰＵ１１８は、本体ＣＰＵ２００からの指示に従い、撮像部１００のズームレンズモータを駆動し、ズームレンズのワイド側またはテレ側への移動を開始させる。
【００５４】
Ｓ７では、本体ＣＰＵ２００は、本体メモリ２０１に格納されたズームレンズモータ駆動中の電力負荷情報を参照し、ズームモータ駆動中のカメラシステム１０の正常動作が可能なバッテリエンド判定電圧を決定する。この処理の詳細は後述する。
【００５５】
Ｓ８では、本体ＣＰＵ２００は、ズームボタン１５への入力操作が解除されたか否かを判断し、操作が解除されたと判断した場合、ズームモータの駆動停止が要求されたと解釈して、Ｓ９に移行する。
【００５６】
Ｓ９では、本体ＣＰＵ２００は、本体通信制御部２４２およびレンズ通信制御部１４０を介して、レンズＣＰＵ１１８に対し、ズームモータの駆動停止を指示する。レンズＣＰＵ１１８は、本体ＣＰＵ２００からの指示に従い、撮像部１００のズームレンズモータの駆動を停止する。
【００５７】
図５は、Ｓ３およびＳ７で実行されるバッテリエンド判定電圧を決定する処理の詳細を示すフローチャートである。
【００５８】
Ｓ１１では、本体ＣＰＵ２００は、バッテリ残量検出部２３６から、現在のバッテリ２３８の電圧値を取得する。
【００５９】
Ｓ１２では、本体ＣＰＵ２００は、現在のズームボタン１５の入力に基づき、現在ズームモータが駆動中であるか否かを判断する。ズームモータが駆動中であればＳ１３、駆動中でなければＳ１４に移行する。
【００６０】
Ｓ１３では、予め本体メモリ２０１に記憶されているデフォルトのバッテリ電圧４．０Ｖを、バッテリエンド判定電圧と決定する。
【００６１】
Ｓ１４では、本体メモリ２０１に格納された電力負荷情報のうち、ズームモータ駆動中の電力負荷情報を参照する。
【００６２】
Ｓ１５では、ズームモータ駆動中の電力負荷情報「−１．０」をデフォルトのバッテリ電圧４．０Ｖに加えた値である「３．０」を、バッテリエンド判定電圧と決定する。
【００６３】
Ｓ１６では、Ｓ１１で取得した現在の電圧値が、バッテリエンド判定電圧を下回っているか否かを判断する。現在の電圧値が、バッテリエンド判定電圧を下回っていないと判断された場合はＳ１７へ移行する。現在の電圧値が、バッテリエンド判定電圧を下回っていると判断された場合はＳ１８へ移行する。
【００６４】
Ｓ１７では、バッテリ残量検出部２３６の検出したバッテリ残量を視覚的に示すバッテリ残量アイコンをＬＣＤ表示部２６に表示する（図６（ａ）のアイコンＩ１あるいは同（ｂ）のアイコンＩ２）。この後Ｓ４へ移行する。
【００６５】
Ｓ１８では、バッテリ残量が正常動作に必要な値を下回っている（バッテリエンド）と判断し、シャットダウン動作に入る。すなわち、図６（ｃ）のように、バッテリ残量がない旨のアイコンＩ３をＬＣＤ表示部２６に所定時間（例えば５秒間）点滅表示し、所定時間経過後、バッテリ２３８による各ブロックへの電源供給を停止する。
【００６６】
このように、本実施形態のカメラシステム１０では、カメラ本体１４でなく交換可能なレンズユニット１２に電力負荷情報を記憶させており、カメラ本体１４にレンズユニット１２が装着されたことに応じてレンズユニット１２が電力負荷情報をカメラ本体１４に供給する。カメラ本体は、レンズユニット１２からの電力負荷情報を参照してバッテリエンド判定電圧を決定し、これと現在の電圧とを比較することで、バッテリ２３８の残量が正常動作をするに足りるか否かを判断する。
【００６７】
従って、カメラ本体１４で複数種類のレンズユニット１２の電力負荷情報を持っておく必要がなく、メモリ２０１の容量を節約できる。また、レンズユニット１２がどのような種類であっても、あるいは新しい製品であっても、レンズユニット１２の装着の度に最新の電力負荷情報をカメラ本体１４に提供でき、ユーザがいちいちカメラ本体１４の電力負荷情報を更新する必要もない。
【００６８】
＜第２実施形態＞
図７はレンズメモリ１２０に記憶されている電圧負荷情報の他の一例を示す。この電圧負荷情報は、ズームモータ駆動、フォーカスモータ駆動、アイリスモータ駆動、シャッタ駆動のいずれかの状態がカメラ本体１４から指令された際に、上記駆動を正常に実行する際に許容される電圧降下の下限値を、カメラ本体１４の電源供給能力ごとに示している。この電圧負荷情報では、あるレンズユニット１２が、異なる電源供給能力（この図では電源電圧が５Ｖまたは３Ｖ）を有している複数のカメラ本体１４のいずれかに装着されることを想定している。
【００６９】
以下、図８のフローチャートに従い、カメラシステム１０の実行する処理の流れを説明する。この処理は、カメラ本体１４の電源がオンにされたときに開始する。
【００７０】
Ｓ２１では、Ｓ１と同様、装着が検出したと判断した場合は、本体ＣＰＵ２００は、マウント検出信号を受信した旨をレンズＣＰＵ１１８に通知し、Ｓ２２に移行する。
【００７１】
Ｓ２２では、レンズＣＰＵ１１８は、カメラ本体１４からからマウント検出信号を受信したことに応じ、レンズメモリ１２０に格納されている電力負荷情報を読み出し、これを本体ＣＰＵ２００に送信する。本体ＣＰＵ２００は、電力負荷情報を受信すると、これを本体メモリ２０１に格納する。
【００７２】
Ｓ２３では、本体メモリ２０１に格納された電力負荷情報のうち、カメラ本体１４自身の電力供給能力に対応した電力負荷情報を参照し、バッテリエンド判定電圧を決定する。この処理の詳細は後述する。
【００７３】
Ｓ２４では、Ｓ４と同様、ズームボタン１５へ何らかの情報入力があった場合は、Ｓ２５に移行する。
【００７４】
Ｓ２５では、ズームボタン１５へ入力された情報が、ワイド側への移動か、テレ側への移動のいずれであるかを認識する。
【００７５】
Ｓ２６では、Ｓ６と同様、ズームボタン１５の入力に応じ、本体ＣＰＵ２００は、レンズＣＰＵ１１８に対し、ズームレンズのワイド側への移動またはテレ側への移動を指示する。
【００７６】
レンズＣＰＵ１１８は、本体ＣＰＵ２００からの指示に従い、ズームモータを駆動し、ズームレンズのワイド側またはテレ側への移動を開始させる。
【００７７】
Ｓ２７では、本体メモリ２０１に格納された電力負荷情報のうち、カメラ本体１４自身の電力供給能力に対応した電力負荷情報を参照し、バッテリエンド判定電圧を決定する。この処理の詳細は後述する。
【００７８】
Ｓ２８では、ズームボタン１５の情報入力操作が解除されたか否かを判断し、操作が解除されたと判断した場合、Ｓ２９に移行する。
【００７９】
Ｓ２９では、本体ＣＰＵ２００は、レンズＣＰＵ１１８に対し、撮像部１００のズームモータの駆動停止を指示する。レンズＣＰＵ１１８は、本体ＣＰＵ２００からの指示に従い、ズームモータの駆動を停止する。
【００８０】
図９はＳ２３およびＳ２７で実行されるバッテリエンド判定電圧決定の処理の詳細を示すフローチャートである。
【００８１】
Ｓ３１では、本体ＣＰＵ２００は、バッテリ残量検出部２３６から、現在のバッテリ２３８の電圧値を取得する。
【００８２】
Ｓ３２では、本体ＣＰＵ２００は、現在のズームボタン１５の入力に基づき、現在ズームモータが駆動中であるか否かを判断する。ズームモータが駆動中であればＳ３３、駆動中でなければＳ３４に移行する。
【００８３】
Ｓ３３では、デフォルトのバッテリ電圧４．０Ｖをバッテリエンド判定電圧とする。
【００８４】
Ｓ３４では、ズームモータ駆動中の電力負荷情報のうち、カメラ本体１４自身の電源供給能力に対応する電力負荷情報を参照する。
【００８５】
Ｓ３５では、カメラ本体１４の電源供給能力に対応するズームモータ駆動中の電力負荷情報「−１．０」を撮影待機時のバッテリ電圧４．０Ｖに加えた値である「３．０」をバッテリエンド判定電圧と決定する。
【００８６】
Ｓ３６では、Ｓ２１で取得した現在の電圧値が、バッテリエンド判定電圧を下回っているか否かを判断する。現在の電圧値が、バッテリエンド判定電圧を下回っていないと判断された場合はＳ３７へ移行する。現在の電圧値が、バッテリエンド判定電圧を下回っていると判断された場合はＳ３８へ移行する。
【００８７】
Ｓ３７では、バッテリ残量を示すバッテリ残量アイコンをＬＣＤ２６に表示する（図６（ａ）のアイコンＩ１あるいは同（ｂ）のアイコンＩ２）。この後Ｓ２４へ移行し、処理を継続する。
【００８８】
Ｓ３８では、バッテリ残量が正常動作に必要な値を下回っている（バッテリエンド）と判断し、シャットダウン動作に入る。すなわち、図６（ｃ）のように、バッテリ残量がない旨のアイコンＩ３をＬＣＤ２６に所定時間（例えば５秒間）点滅表示し、所定時間経過後、バッテリ２３８による各ブロックへの電源供給を停止する。
【００８９】
以上のように、レンズユニット１２に、各カメラ本体１４の電源供給能力に応じた電力負荷情報を格納しておけば、実際にレンズユニット１２の装着されたカメラ本体１４の電源供給能力に応じたバッテリエンド判定電圧が決定されるから、レンズユニット１２がどのような種類のカメラ本体１４に装着されても、精度の高いバッテリ残量判定が可能となる。
【図面の簡単な説明】
【００９０】
【図１】カメラシステムの外観を示す図
【図２】カメラシステムのブロック図
【図３】第１実施形態に係る電力負荷情報を示す図
【図４】第１実施形態に係るカメラシステムの動作の流れを示すフローチャート
【図５】第１実施形態に係るバッテリ残量判定の流れを示すフローチャート
【図６】バッテリ残量表示の一例を示す図
【図７】第２実施形態に係る電力負荷情報を示す図
【図８】第２実施形態に係るカメラシステムの動作の流れを示すフローチャート
【図９】第２実施形態に係るバッテリ残量判定の流れを示すフローチャート
【符号の説明】
【００９１】
１０：カメラシステム、１２：レンズユニット、１４：カメラ本体、１４ａ：本体マウント接点、２０：レリーズボタン、１００：撮像部、１１８：レンズＣＰＵ、１２０：レンズメモリ、２００：本体ＣＰＵ、２０１：本体メモリ、２３６：バッテリ残量検出部、２３８：バッテリ
【図１】
2008028655.tif 000003
【図２】
2008028655.tif 000004
【図３】
2008028655.tif 000005
【図４】
2008028655.tif 000006
【図５】
2008028655.tif 000007
【図６】
2008028655.tif 000008
【図７】
2008028655.tif 000009
【図８】
2008028655.tif 000010
【図９】
2008028655.tif 000011